(57)【要約】【課題】端子金具を円滑に挿入することが可能なコネクタを提供する。【解決手段】リテーナ３０は、端子金具２０に係合することでその端子金具２０の端子収容室１１からの抜脱を阻止する本体部３１と、本体部３１の両側に配置されリテーナ装着開口１３に装着した状態に保持する一対の係止部３２とを備え、コネクタハウジング１０は、端子収容室１１の端子金具２０の挿入方向に沿って配されリテーナ３０の係止部３２を収容する一対の収容空間１５を備え、この収容空間１５と端子収容室１１とは連通しているのであって、端子収容室１１と収容空間１５との境界部分には、端子金具２０の挿入方向に沿って延びる誘い込み壁１７，３３が配置されている。【選択図】図１
2012009176.tif 000002
【特許請求の範囲】
【請求項１】
内部に端子収容室を備えると共に、外壁部に前記端子収容室に連通して形成されたリテーナ装着開口を有するコネクタハウジングと、
前記端子収容室に収容される端子金具と、
前記リテーナ装着開口に装着されるリテーナと、を備えるコネクタであって、
前記リテーナは、前記端子金具に係合することでその端子金具の前記端子収容室からの抜脱を阻止する本体部と、前記本体部の両側に配置され前記リテーナ装着開口に装着した状態に保持する一対の係止部と、を備え、
前記コネクタハウジングは、前記端子収容室の前記端子金具の挿入方向に沿って配され前記リテーナの前記係止部を収容する収容空間を備え、この収容空間と前記端子収容室とは連通しているのであって、
前記端子収容室と前記収容空間との境界部分には、前記端子金具の挿入方向に沿って延びる誘い込み壁が配置されていることを特徴とするコネクタ。
【請求項２】
前記係止部は、前記本体部の両側に配置された側壁と、前記各側壁の両脇に配される一対の係止片部と、を備え、
前記誘い込み壁は、前記側壁のうち前記端子収容室に面する部位から突設されたガイドリブを含んで構成されていることを特徴とする請求項１に記載のコネクタ。
【請求項３】
前記誘い込み壁は、前記リテーナ装着開口の奥壁から突設された立壁を含んで構成されていることを特徴とする請求項１又は請求項２に記載のコネクタ。
【請求項４】
前記立壁は、前記リテーナ装着開口の周縁のうち、その開口中央に向かって張り出す凸状部とこの凸状部の対向壁とを連結する支持壁を含んで構成されていることを特徴とする請求項３に記載のコネクタ。
【請求項５】
前記立壁は、前記支持壁と、前記支持壁から前記端子金具の挿入側に連なるガイド壁とを含んで構成されていることを特徴とする請求項４に記載のコネクタ。
【請求項６】
前記リテーナの前記本体部は、前記凸状部に嵌り合う凹状部を備え、
前記凸状部と前記凹状部との境界部分には、前記リテーナの抜き治具を挿入するための治具挿入口が設けられていることを特徴とする請求項４又は請求項５に記載のコネクタ。
【請求項７】
前記誘い込み壁のうち前記端子金具の挿入側の端縁には傾斜を有する誘い込み部が形成され、前記誘い込み部は挿入された前記端子金具を前記端子収容室の奥側へと誘導することを特徴とする請求項１ないし請求項６のいずれか一項に記載のコネクタ。
【発明の詳細な説明】
【技術分野】
【０００１】
本発明は、端子金具を抜け止めするためのリテーナを備えたコネクタに関する。
【背景技術】
【０００２】
例えば、ハウジングに挿入した端子金具をリテーナによって抜け止めするコネクタとして特許文献１に記載のものが知られている。このコネクタは、ハウジング内を前後方向に貫通して横並びに配置された複数のキャビティに、それぞれ後方から端子金具を挿入させ、各キャビティに連通してハウジングの外壁に開口されたリテーナ装着開口にリテーナを差し込んでリテーナに設けられた抜け止め部を端子金具の段差部等に係止させることで、端子金具の抜き取り方向への移動を規制するようになっている。リテーナは、抜け止め部を有するブロック状の本体部と、本体部の両側部に突出し端子金具の挿通方向に沿って延び、その前後両端に係止部を有する一対の側壁とを有している。側壁に挟まれたリテーナの縁部にはリテーナをリテーナ装着開口から外す際に抜き治具を挿入する治具挿入口が形成されている。
【０００３】
ところで、上記構成を適用したコネクタにおいて収容される端子金具が１本、つまり単極のコネクタである場合、リテーナの幅は１本の端子金具の幅に対応するキャビティの幅に合わせた寸法とすることができ、この場合キャビティの両側部にリテーナの側壁を収容する側壁収容空間が設けられる。そして、例えばこの側壁収容空間とキャビティとの間に両空間を仕切る壁を設けず、互いに連通した状態とすればコネクタの小型化を図ることができる。
【先行技術文献】
【特許文献】
【０００４】
【特許文献１】特開２００８−２４３６９２号公報
【発明の概要】
【発明が解決しようとする課題】
【０００５】
しかしながら、この単極用のリテーナは上記多極用のリテーナと比較して横幅が狭くなるため、側壁に挟まれた治具挿入口において、抜き治具を挿入するために最低限必要となる幅寸法が確保できなくなる場合がある。そこで抜き治具の寸法に合わせて治具挿入口の横幅を広げると側壁間の間隔も広くなり、コネクタハウジングにおいては、この側壁を収容する側壁収容空間と端子金具の幅と一致したキャビティとの間に不要な空間が生じる。この不要な空間により端子金具の横幅方向の自由度が高くなると、その先端部が幅方向に振れることでキャビティ内部に突き当たる所謂どつきが発生し、さらには端子金具の損傷が懸念される。
【０００６】
本発明は上記のような事情に基づいて完成されたものであって、端子金具を円滑に挿入することが可能なコネクタを提供することを目的とする。
【課題を解決するための手段】
【０００７】
本発明は、内部に端子収容室を備えると共に、外壁部に前記端子収容室に連通して形成されたリテーナ装着開口を有するコネクタハウジングと、前記端子収容室に収容される端子金具と、前記リテーナ装着開口に装着されるリテーナと、を備えるコネクタであって、前記リテーナは、前記端子金具に係合することでその端子金具の前記端子収容室からの抜脱を阻止する本体部と、前記本体部の両側に配置され前記リテーナ装着開口に装着した状態に保持する一対の係止部と、を備え、前記コネクタハウジングは、前記端子収容室の前記端子金具の挿入方向に沿って配され前記リテーナの前記係止部を収容する一対の収容空間を備え、この収容空間と前記端子収容室とは連通しているのであって、前記端子収容室と前記収容空間との境界部分には、前記端子金具の挿入方向に沿って延びる誘い込み壁が配置されていることに特徴を有する。
【０００８】
このような構成によれば、端子収容室と収容空間との境界部分には、端子金具の挿入方向に沿って延びる誘い込み壁が配置されているから、挿入された端子金具の幅方向の動きが規制され、誘い込み壁に沿って端子金具が挿入されることで、当該端子金具を円滑に挿入することができる。
【０００９】
前記係止部は、前記本体部の両側に配置された側壁と、前記側壁に対して直列するように前記各側壁の両脇に配される一対の係止片部と、を備え、前記誘い込み壁は、前記側壁のうち前記端子収容室に面する部位から突設されたガイドリブを含んで構成されていてもよい。このような構成によれば、コネクタハウジングの構造を変更せずとも誘い込み壁を設けることができる。また、リテーナのうち、側壁の端子収容室に面する部位にガイドリブを突設すれば、係止片部に設けるよりも係止機能に影響を及ぼすことなく、端子金具の幅寸法に合わせてガイドリブの突設高さを設定することが可能である。
【００１０】
前記誘い込み壁は、前記リテーナ装着開口の奥壁から突設された立壁を含んで構成されていてもよい。この立壁により誘い込み壁を構成すれば、リテーナの構造を変更することなく、端子金具を円滑に誘い込むことができる。
【００１１】
前記立壁は、前記リテーナ装着開口の周縁のうち、その開口中央に向かって張り出す凸状部とこの凸状部の対向壁とを連結する支持壁を含んで構成されていてもよい。このような構成とすれば、支持壁は誘い込み壁として端子金具の挿入方向を誘導するだけでなく、凸状部を端子収容室側から補強し、凸状部自体の強度を向上させることもできる。
【００１２】
前記立壁は、前記支持壁と、前記支持壁から前記端子金具の挿入側に連なるガイド壁とを含んで構成されていてもよい。このような構成とすれば、端子金具を挿入する際により早い段階からその幅方向の動きを規制することができる。
【００１３】
前記リテーナの前記本体部は、前記凸状部に嵌り合う凹状部を備え、前記凸状部と前記凹状部との境界部分には、前記リテーナの抜き治具を挿入するための治具挿入口が設けられていてもよい。治具挿入口の周辺部位には、リテーナを取り外す際に抜き治具の支持点となる等して外力が加わる場合がある。よって、凸状部と凹状部との境界部分に治具挿入口を設ければ、その周辺部位である凸状部は支持壁により補強されているから、たとえ外力が加わっても、強度不足による変形などを阻止することができる。
【００１４】
前記誘い込み壁のうち前記端子金具の挿入側の端縁には傾斜を有する誘い込み部が形成され、前記誘い込み部は挿入された前記端子金具を前記端子収容室の奥側へと誘導する構成であってもよい。誘い込み壁に誘い込み部が形成されていれば、挿入された端子金具を誘い込み壁の奥側により円滑に誘導することが可能である。
【発明の効果】
【００１５】
本発明によれば、端子金具を円滑に挿入することが可能なコネクタを提供することができる。
【図面の簡単な説明】
【００１６】
【図１】本発明の実施形態１に係るコネクタハウジングの斜視図
【図２】同正面図
【図３】図２のＡ−Ａ断面図
【図４】コネクタハウジングの平面図
【図５】図４のＢ−Ｂ断面図
【図６】図４のＣ−Ｃ断面図
【図７】本発明の実施形態１に係るリテーナの側面図
【図８】同平面図
【図９】同正面図
【図１０】図９のＤ−Ｄ断面図
【図１１】リテーナが仮係止位置にある状態をあらわす断面図
【図１２】リテーナが本係止位置にある状態をあらわす断面図
【図１３】本発明の実施形態２に係るコネクタハウジングの平面図
【図１４】図１３のＥ−Ｅ断面図
【図１５】本発明の実施形態２に係るリテーナの正面図
【図１６】同平面図
【図１７】リテーナが仮係止位置にある状態をあらわす断面図
【図１８】リテーナが本係止位置にある状態をあらわす断面図
【発明を実施するための形態】
【００１７】
＜実施形態１＞
本発明の実施形態１を図１ないし図１２によって説明する。
本実施形態に係るコネクタは、１本の雌端子金具２０（端子金具に相当する）を収容する単極のコネクタであって、コネクタハウジング１０と、コネクタハウジング１０の外側面に開口されたリテーナ装着開口１３に差し込まれて雌端子金具２０を係止するリテーナ３０とを備えている。以下、図４の右側を後側、左側を前側、上下方向を幅方向として説明する。
【００１８】
コネクタハウジング１０は合成樹脂製であって、一体成形によって形成されており、図１に示すように、雌端子金具２０を収容可能なキャビティ１１（端子収容室に相当する）が前後方向に貫通して形成されている。キャビティ１１の幅は全体として雌端子金具２０の幅寸法よりも大きく設定されており、前後方向の略中間部は後述するリテーナ装着開口１３により一側面が開放された状態にある。
【００１９】
雌端子金具２０は、図３に示すように、角筒部２１の後端から後方へ電線圧着部２２を延出させた周知形態のものであって、電線圧着部２２には図示しない電線が固着されている。雌端子金具２０はコネクタハウジング１０の後方からキャビティ１１内に挿入され、正規挿入位置（図３参照）においてキャビティ１１内に設けられたランス等の係止手段により係止され、抜け止め状態とされる。なお、雌端子金具２０に接続された電線はコネクタハウジング１０の後方から導出される。
【００２０】
コネクタハウジング１０の外側面のうち、図４の紙面手前側の下部を構成するリテーナ装着面１２にはリテーナ装着開口１３が開設されている。このリテーナ装着開口１３はリテーナ３０を収容するためのものであって、キャビティ１１の前後方向略中央部分に連通する連通空間１４と、この連通空間１４の幅方向両端に連なる一対の係止空間１５（収容空間に相当する）とを有している。連通空間１４の前側の開口縁は、係止空間１５の前側の開口縁よりも後方に延出する凸状部１４Ａとされ、凸状部１４Ａの突出端縁には治具挿入口１６が凹設されている。この治具挿入口１６はリテーナ装着開口１３に装着されたリテーナ３０を取り外す際に、図示しない抜き治具を挿入可能な幅に形成されている。係止空間１５は前後方向に細長いスリット状をなし、後述するリテーナ３０の係止部３２が収容される。各係止空間１５内にはその前縁壁から突出する前方受け部１５Ａと、同後縁壁から突出する後方受け部１５Ｂとが形成されている。
【００２１】
リテーナ３０は合成樹脂製であって、図７ないし図１０に示すように、ブロック状の本体部３１と、本体部３１の幅方向両側部に突設された係止部３２とを一体形成したものである。リテーナ装着開口１３に対してリテーナ３０は、コネクタハウジング１０のリテーナ装着面１２から突出した仮係止位置（図１１参照）と、リテーナ装着面１２と略面一となる本係止位置（図１２参照）との２位置間を移動可能に装着されるようになっている。
【００２２】
リテーナ３０の構成について詳しく説明すると、まず本体部３１は、図８に示すようにリテーナ装着開口１３の開口縁に沿った外周形状をなしており、凸状部１４Ａに嵌り合う部位は凹状部３１Ａとされている。本係止位置に装着された際にリテーナ装着面１２と略面一となる底面３１Ｂとは反対側の面には、抜け止め部３１Ｃが突設されている。この抜け止め部３１Ｃは、図８ないし図１０に示すように、リテーナ３０が本係止位置に装着された際に、正規挿入位置に挿入された雌端子金具２０の電線圧着部２２上部に嵌めこまれ、雌端子金具２０の抜け止めが図られる。
【００２３】
次に係止部３２は、図７及び図１０に示すように、本体部３１の前後方向略中央部に突設された板状の側壁３２Ａと、本体部３１の前端面から前方へ張り出した位置に設けられた前方係止片部３２Ｂと、同後端面に沿って延出する位置に設けられた後方係止片部３２Ｃとから構成される。前方係止片部３２Ｂと後方係止片部３２Ｃは、それぞれ片持ち状に延出した弾性片であって、側壁３２Ａに近づく方向へ弾性変形可能とされている。係止部３２は各係止片部３２Ｂ，３２Ｃが側壁３２Ａ側に撓み変形することで、リテーナ装着開口１３の係止空間１５へと収容され、前方係止片部３２Ｂは前方受け部１５Ａに、後方係止片部３２Ｃは後方受け部１５Ｂにそれぞれ係止される。
【００２４】
さて、各側壁３２Ａの内周面（リテーナ装着開口１３に装着された際にキャビティ１１側となる面）には、それぞれガイドリブ３３が突設されている。対向するガイドリブ３３間の距離は雌端子金具２０の幅寸法によりもやや大きく設定されており、当該雌端子金具２０が幅方向の動きを規制することが可能となる。さらに、ガイドリブ３３の後端部は後方に向かって傾斜する誘い込み部３３Ａとされており、挿入された雌端子金具２０をガイドリブ３３前方へと誘導する機能を有する。本実施形態においてこのガイドリブ３３は、本発明の構成要件である誘い込み壁の一つとされている。
【００２５】
さらに誘い込み壁を構成する部位として、図１に示す凸状部１４Ａを支える支持壁１７が挙げられる。この支持壁１７は、図５に示すように、凸状部１４Ａの幅方向両端から直角をなして立ち上がり、その先端はキャビティ１１の奥壁１１Ａに連結されている。キャビティ１１のうち、凸状部１４Ａに覆われた部位は、この支持壁１７により両側に位置する係止空間１５と仕切られた格好となり、支持壁１７間の距離は、ガイドリブ３３間の距離と略同等とされ、雌端子金具２０が挿入可能な幅が確保されている。
【００２６】
続いて、本実施形態における作用について説明する。
コネクタハウジング１０に雌端子金具２０を取り付けるには、まず、リテーナ３０を図１１に示す仮係止位置に保持しておき、後方から雌端子金具２０をキャビティ１１に挿入する。この際、本体部３１の抜け止め部３１Ｃは、キャビティ１１のうち、雌端子金具２０の挿通路となる位置よりもリテーナ装着面１２寄りに退避した位置にあるため、挿入する雌端子金具２０の上面（図３の手前側となる面）に引っ掛かる虞はない。ガイドリブ３３は挿入する雌端子金具２０の両側部に位置することとなる。雌端子金具２０をキャビティ１１に挿入すると、まず誘い込み部３３Ａが雌端子金具２０をキャビティ１１の前方へと誘い込む。続いて、雌端子金具２０の幅寸法に沿ったガイドリブ３３が連通空間１４内を凸状部１４Ａ側へと誘導する。雌端子金具２０が前後方向の凸状部１４Ａに対応する位置まで挿入されると、ガイドリブ３３に加えて、支持壁１７が雌端子金具２０の挿入方向を誘導する。
【００２７】
支持壁１７により誘導された雌端子金具２０を正規挿入位置まで挿入すると、リテーナ３０を図１２に示す本係止位置へと移動させることが可能となる。リテーナ３０を本係止位置に押し込むと、本体部３１の抜け止め部３１Ｃが雌端子金具２０の電線圧着部２２の上部に嵌めこまれ、角筒部２１の後方への移動が妨げられることで、雌端子金具２０の抜け止めがなされる。また、本体部３１の凹状部３１Ａはリテーナ装着開口１３の凸状部１４Ａと適合し、底面３１Ｂはリテーナ装着面１２と面一となる。以上のようにして、リテーナ３０を本係止位置に保持することで、雌端子金具２０のコネクタハウジング１０への取り付けが完了する。
【００２８】
なお、本係止位置に装着されたリテーナ３０を取り外すには、図示はしないが、治具挿入口１６に抜き治具を差し込んで、リテーナ３０の凹状部３１Ａを連通空間１４側からリテーナ装着面１２側へ押し上げればよい。
【００２９】
以上説明したように本実施形態によれば、リテーナ装着開口１３の連通空間１４と係止空間１５との境界部分に、支持壁１７と、リテーナ３０のガイドリブ３３とからなる誘い込み壁が配置されている。これにより、たとえ係止部３２を収容する係止空間１５とキャビティ１１の一部である連通空間１４とが連通していても、ガイドリブ３３と支持壁１７により挿入された雌端子金具２０の幅方向の動きが規制され、雌端子金具２０を円滑に挿入することができる。具体的には、キャビティ１１に挿入された雌端子金具２０の先端部は、まず初めにガイドリブ３３により、続いて支持壁１７によりその幅方向の動きが規制されるから、キャビティ１１内におけるどつきを阻止することができ、雌端子金具２０が損傷するのを未然に防止できる。
【００３０】
また、ガイドリブ３３を係止部３２のうち、側壁３２Ａに設けることで、コネクタハウジング４０側への係止機能を有する各係止片部３２Ｂ，３２Ｃに何ら影響を与えることがない。加えて、係止機能を有さない側壁３２Ａはその厚さ寸法において設定の自由度が高いため、対応する雌端子金具２０の幅寸法に合わせて、ガイドリブ３３の突設高さを設定することが可能である。さらに、ガイドリブ３３の後端に誘い込み部３３Ａを形成することで、挿入された雌端子金具２０をより前方へと誘い込みやすい構成としている。
【００３１】
また、支持壁１７は誘い込み壁として雌端子金具２０をキャビティ１１内に円滑に挿入させるだけでなく、リテーナ装着開口１３の凸状部１４Ａの強度を向上させることにも寄与している。凸状部１４Ａには抜き治具を挿入するための治具挿入口１６が凹設されており、リテーナ３０の装着を解除する際に挿入された抜き治具の支持点になる等して外力が加わることが想定される。この外力が加わる凸状部１４Ａを支持壁１７がキャビティ１１側から補強することで、凸状部１４Ａの強度不足による変形等を未然に防止することができる。
【００３２】
＜実施形態２＞
次に、本発明の実施形態２を図１３ないし図１８によって説明する。
本実施形態は、実施形態１とは、誘い込み壁を構成する部位及び形状が異なり、支持壁１７の後方にガイド壁４１が延設され、リテーナ５０にガイドリブ３３が設けられていないところが相違する。他の構成については実施形態１と同様であるため、同一部分に同一符号を付して重複する説明を省略する。
【００３３】
コネクタハウジング４０におけるリテーナ装着開口１３の連通空間１４と係止空間１５との境界部分には、図１３及び図１４に示すように、支持壁１７の後方からその全域にわたってガイド壁４１が延設されている。ガイド壁４１のキャビティ１１の奥壁１１Ａからの突設高さは、図１４に示すように支持壁１７よりも低く、リテーナ５０が本係止位置に装着された場合に、抜け止め部３１Ｃに当接しない高さに設定されている（図１８参照）。
【００３４】
一方、リテーナ５０には、図１５及び図１６に示すように、実施形態１に設けられていたガイドリブ３３が形成されることなく、係止部３２の側壁３２Ａは、各係止片部３２Ｂ，３２Ｃと略同じ厚さに形成されている。このように、本実施形態において、誘い込み壁は支持壁１７及びガイド壁４１（立壁に相当する）により構成される。
【００３５】
さて、このような構成のコネクタハウジング４０にリテーナ５０を仮係止位置に保持すると、図１７に示すように、ガイド壁４１がガイドリブ３３に代わって誘い込み壁の役割を果たす。具体的には、キャビティ１１に挿入された雌端子金具２０は、ガイド壁４１に沿って連通空間１４の前方へと誘導される。雌端子金具２０が前後方向の凸状部１４Ａに対応する位置まで挿入されると、ガイド壁４１に加えて、支持壁１７が雌端子金具２０の挿入方向を誘導する。そして、雌端子金具２０を正規挿入位置まで挿入すると、図１８に示すようにリテーナ５０を本係止位置に押し込むことができる。
【００３６】
以上説明したように本実施形態によれば、リテーナ装着開口１３の連通空間１４と係止空間１５との境界部分に、支持壁１７と、ガイド壁４１とからなる誘い込み壁が配置されている。これにより、例え係止部３２を収容する係止空間１５とキャビティ１１の一部である連通空間１４とが連通していても、ガイド壁４１と支持壁１７により挿入された雌端子金具２０の幅方向の動きが規制され、雌端子金具２０を円滑に挿入することができる。
【００３７】
また、コネクタハウジング４０側にガイド壁４１と支持壁１７とからなる誘い込み壁を設ければ、リテーナ５０に誘い込み壁に該当する部位を設けずとも、雌端子金具２０を円滑に挿入できる構成とすることができる。
【００３８】
＜他の実施形態＞
本発明は上記記述及び図面によって説明した実施形態に限定されるものではなく、例えば次のような実施形態も本発明の技術的範囲に含まれる。
【００３９】
（１）上記実施形態１では、誘い込み壁は支持壁１７とガイドリブ３３とにより構成されていたが、これに限られず、例えば支持壁１７とガイドリブ３３のいずれか一方により誘い込み壁が構成されていてもよい。また、上記実施形態２では、誘い込み壁は支持壁１７とガイド壁４１とにより構成されていたが、同様に支持壁１７とガイド壁４１のいずれか一方により誘い込み壁が構成されていてもよい。
【００４０】
（２）上記実施形態では、コネクタハウジング１０，４０に収容される端子金具は雌端子金具２０であったが、これに限られず、例えば雄端子金具であってもよい。
【００４１】
（３）上記実施形態では、コネクタは雌端子金具２０を１本収容する単極のコネクタであったが、これに限られず、例えば多極のコネクタに適用されていてもよい。多極のコネクタにおいても、幅方向両側部に配されるキャビティと係止空間を連通させた構成とし、本発明を適用すれば、コネクタを小型化することができ、且つ端子金具をキャビティ内に円滑に挿入することが可能となる。
【符号の説明】
【００４２】
１０，４０…コネクタハウジング
１１…キャビティ（端子収容室）
１２…リテーナ装着面
１３…リテーナ装着開口
１４…連通空間
１５…係止空間（収容空間）
１６…治具挿入口
１７…支持壁（誘い込み壁）
２０…雌端子金具（端子金具）
３０，５０…リテーナ
３１…本体部
３１Ａ…凹状部
３２…係止部
３２Ａ…側壁
３２Ｂ…前方係止片部
３２Ｃ…後方係止片部
３３…ガイドリブ（誘い込み壁）
３３Ａ…誘い込み部
４１…ガイド壁（誘い込み壁）
【図１】
2012009176.tif 000003
【図２】
2012009176.tif 000004
【図３】
2012009176.tif 000005
【図４】
2012009176.tif 000006
【図５】
2012009176.tif 000007
【図６】
2012009176.tif 000008
【図７】
2012009176.tif 000009
【図８】
2012009176.tif 000010
【図９】
2012009176.tif 000011
【図１０】
2012009176.tif 000012
【図１１】
2012009176.tif 000013
【図１２】
2012009176.tif 000014
【図１３】
2012009176.tif 000015
【図１４】
2012009176.tif 000016
【図１５】
2012009176.tif 000017
【図１６】
2012009176.tif 000018
【図１７】
2012009176.tif 000019
【図１８】
2012009176.tif 000020